(57)【要約】【課題】  撮影の邪魔にならないようにストラップを取り付けるための取付部を配置する必要があるが、ストラップを取り付けるための取付部を本体部に取り付けると、把持部を持ったときにストラップが手に当たり、特に操作部を操作しにくい。【解決手段】  本発明の撮像装置は、レンズ部が取り付けられる本体部と、前記本体部の前側上部に形成される前脚部と、前記本体部の後側上部に形成される後脚部と、前記前脚部と前記後脚部を連結し、前記本体部を保持する際に把持される取手把持部と、前記取手把持部よりも前方に形成される台座部とを有する取手部とを有し、前記台座部には、撮影者が台座部を把持した状態で親指を保持する指保持部が配設され、前記前脚部には、ストラップを取り付けるための取付部が配設され、前記指保持部は、前記撮像装置の上方から見た時に、前記取付部と重なるように配設される。【選択図】  図２
2012037655.tif 000002
【特許請求の範囲】
【請求項１】
レンズ部が取り付けられる本体部と、
前記本体部の前側上部に形成される前脚部と、前記本体部の後側上部に形成される後脚部と、前記前脚部と前記後脚部を連結し、前記本体部を保持する際に把持される取手把持部と、前記取手把持部よりも前方に形成される台座部とを有する取手部とを有し、
前記台座部には、撮影者が台座部を把持した状態で親指を保持する指保持部が配設され、
前記前脚部には、ストラップを取り付けるための取付部が配設され、
前記指保持部は、装置の上方向から見た時に、前記取付部と重なるように配設されることを特徴とする撮像装置。
【請求項２】
前記台座部の上部に操作部が配設され、
前記指保持部は、前記台座部から側面方向に突出するように設けたことを特徴とする請求項１に記載の撮像装置。
【請求項３】
前記取付部の光軸からの幅方向の寸法よりも、光軸から前記指保持部の端面までの寸法の方が大きいことを特徴とする請求項１または２に記載の撮像装置。
【請求項４】
前記取付部は、前記本体部および前記取手部をそれぞれ接合していることを特徴とする請求項１ないし３の何れか１項に記載の撮像装置。
【発明の詳細な説明】
【技術分野】
【０００１】
本発明は、レンズ部より上方に取手部を有する撮像装置に関するものである。
【背景技術】
【０００２】
近年、デジタルスチルカメラやビデオカメラ等の撮像装置においては、ビデオカメラ本体に設けられる取手の上面に表示部や操作部を配置することが、例えば特許文献１に知られている。このような取手部を持った撮像装置は、運搬時の利便性のためにショルダーストラップを装着することが求められている。
【先行技術文献】
【特許文献】
【０００３】
【特許文献１】特開２００５−２１０６７７号公報
【発明の概要】
【発明が解決しようとする課題】
【０００４】
しかしながら、撮影の邪魔にならないようにストラップを取り付けるための取付部を配置する必要がある。しかしこの取付部を本体部に取り付けると、取手部を持ったときにストラップが手に当たり、特に操作部を操作しにくいといった問題があった。
【０００５】
本発明はかかる点に鑑みてなされたものであり、撮像装置の本体部にあるストラップを取り付けるための取付部にストラップを取り付けても、撮影の邪魔にならないような撮像装置を提供することを目的とする。
【課題を解決するための手段】
【０００６】
本発明の撮像装置は、レンズ部が取り付けられる本体部と、前記本体部の前側上部に形成される前脚部と、前記本体部の後側上部に形成される後脚部と、前記前脚部と前記後脚部を連結し、前記本体部を保持する際に把持される取手把持部と、前記取手把持部よりも前方に形成される台座部とを有する取手部とを有し、前記台座部には、撮影者が台座部を把持した状態で親指を保持する指保持部が配設され、前記前脚部には、ストラップを取り付けるための取付部が配設され、前記指保持部は、装置の上方から見た時に、前記取付部と重なるように配設されることを特徴とする。
【発明の効果】
【０００７】
本発明は、撮像装置の本体部にあるストラップを取り付けるための取付部にストラップを取り付けても、撮影の邪魔にならないような撮像装置を提供することができる。
【図面の簡単な説明】
【０００８】
【図１】本発明に係る撮像装置としてのビデオカメラ１の斜視図である。
【図２】（ａ）図１のＣ部の拡大図である。（ｂ）ビデオカメラ１の取手部３の内部構造を説明するための部分拡大図である。
【図３】ビデオカメラ１にストラップを装着した状態の部分拡大図である。
【発明を実施するための形態】
【０００９】
図１は撮像装置としてのビデオカメラ１を説明する図である。図１（ａ）はビデオカメラ１の左側後方から見た斜視図であり、図１（ｂ）はビデオカメラ１を右側前方から見た斜視図である。ビューファインダを覗き込む位置で構えていると想定する撮影者の上方向、下方向、左方向、右方向を、本案件における上方向、下方向、左方向、右方向と規定する。
【００１０】
ビデオカメラ１は、撮像素子を有するカメラ本体部２と、このカメラ本体部２の前面に突出するように取り付けられた、光学系を有するレンズ部４から構成されている。レンズ部４先端には、レンズ部４に入射する不要な光を遮断するためのレンズフード４０が着脱可能に装着されている。なお、レンズ部４はカメラ本体部２に対して交換可能な構成であってもよい。光軸７はレンズ部４の光学系の光軸を示している。
【００１１】
カメラ本体部２の左側側面には、表示部としての表示モニタ６が取り付けられており、表示モニタ６は２軸ヒンジによってカメラ本体部２に対して直交する２軸を中心として回動させることができる。
【００１２】
カメラ本体部２の右側側面には、撮影者が把持するためのグリップ部５が、カメラ本体部２に一体に設けられている。ベルト取付部１１は、グリップベルトとショルダーベルトのどちらも取り付けることが可能なベルト取付部である。グリップ部５にはベルト取付部１１に取り付けたグリップベルトが配置され、撮影者はグリップ部５とグリップベルトとの間に手を入れて、グリップ部５を把持する。また、ベルト取付部１１を右側面に配置し、後述の取付部１２をビデオカメラ１の左側面に配置することで、ショルダーベルトを用いて持ち運ぶ際でもビデオカメラ１が左右のどちらか一方に傾くことを防ぐことができる。
【００１３】
カメラ本体部２の上部には、レンズ部４の光軸方向である前後方向に延びる取手部３が一体に設けられている。取手部３は、カメラ本体部２の前側上部に立設された前脚部３ｂと、カメラ本体部２の後側上部に立設された後脚部３ｃと、前脚部３ｂと後脚部３ｃを連結する取手把持部３ａから構成されている。なお、前脚部３ｂにはショルダーストラップを取り付けるための取付部１２を備えている。後脚部３ｃの上部であって、取手把持部３ａの後端部には、撮影者が接眼して被写体を確認する電子ビューファインダ８が回動可能に取り付けられている。電子ビューファインダ８にはアイカップ８０が取り付けられ、図１に示す状態から上方に略７０度回動させることができる。
【００１４】
また、図１に示すように、取手部３の前方には、取手把持部３ａに連続して形成される台座部３ｄが設けられている。台座部３ｄの詳細な構成については、図２を用いて後述する。また、台座部３ｄの右側には、ガンマイクなどの外部マイクを保持するために配置された外部マイク保持部１３が取り付けられている。
【００１５】
図２は本発明に係わるビデオカメラ１の取手部３のＣ部拡大図と内部の図である。図２（ａ）は取手部３のＣ部拡大図であり、図２（ｃ）は取手部３のＣ部拡大図の内部の図である。
【００１６】
台座部３ｄの表面にはビデオカメラ１を操作する複数の操作部材９が配置されており、台座部３ｄの左側には、指保持部１０が台座部３ｄから側面方向に突出するように配置されている。操作部材９は、取手部３の上面に配設され、録画開始／終了を指示する録画ボタンや撮影時におけるズーミング操作を指示するズームボタンなどが配設されている。
【００１７】
取付部１２は取手部３の強度を上げるための板金と一体で形成されている。図２（ｂ）の通り、取付部１２を形成する板金は、１２ａにてカメラ本体部２と、１２ｂにて取手部３と接合している。これによって部品点数を少なくすることができる。
【００１８】
図３はビデオカメラ１にストラップ１４を装着した状態の部分拡大図であり、ビデオカメラ１の上面後方から見たときの図である。図３を用いて、指保持部１０と取付部１２の配置関係を説明する。
【００１９】
取手部３を持って撮影を行う場合、ストラップ１４と操作部材９が近いため、撮影者の指がショルダーベルトにひっかかり、操作部材９を誤って操作してしまう恐れがある。しかし、指保持部１０があることによってストラップ１４と操作部材９の間隔が空き、また右手で取手部３を持つ場合、指保持部１０に親指を置くことで安定した状態で保持することが可能になる。指保持部１０と取付部１２の配置関係は、取付部１２の上部に指保持部１０が来るように配置し、取付部１２の光軸７から幅方向の寸法Ａより、光軸７から指保持部１０の端面までの位置の寸法Ｂを大きく設定している。即ち、上方向から見た場合、指保持部１０によって取付部１２の少なくとも一部もしくは全部が隠れるように指保持部１０が配設されている。このため、ストラップ１４を肩に掛けた状態でも、図３のように指保持部１０がストラップ１４に先当たりし、撮影者の操作を煩わせることがない。
【符号の説明】
【００２０】
３  取手部
３ａ  取手把持部
３ｂ  前脚部
３ｃ  後脚部
３ｄ  台座部
【図１】
2012037655.tif 000003
【図２】
2012037655.tif 000004
【図３】
2012037655.tif 000005